(57)【要約】キャップなしの引込可能な密封された筆記具はマーカケーシング内に組み込まれた密封された室を有している。この密封された室は、室、ワイパリング、および環状のリムおよびマーカ先端の突出のために密封を開放するように直線的に前進させられるマーカニブにより接触から外れて動かされる十字スリット開口画成表面またはフラップを備えた密封部分を含んでいる。円板の形状は密封フラップ上の横方向密封面間に積極的な密封力をもたらす。マーカニブの引込は大気の劣化からマーカニブおよびカートリッジを保護するように密封された室形状にフラップを引き戻す。
2005516830.tif 000002
【特許請求の範囲】
【請求項１】
軸方向の開口を有する細長いマーカハウジングと、
マーカニブを有しかつ前記マーカハウジング内でマーカ支持機構内に保持されるマーカ容器と、
前記マーカハウジング内で前記マーカ容器および前記マーカニブを直線的に動かし、前記マーカハウジング内で前記軸方向の開口を通って前記マーカニブを突出および収縮するように作動する前記マーカ支持機構と、
密封室、第１密封片および第２密封片を有する密封手段と、
前記室は中空孔を画成する周壁を有しているとともに前記マーカ容器内に同軸的に配置され、
前記マーカ容器は前記中空孔内に少なくとも部分的に延びていることを特徴とするキャップなしの引込可能な密封された筆記具。
【請求項２】
前記密封室部分が筒状の容器部分の通過に適する中空孔を貫通して画成する略円形の周壁と、
密封部分の環状リムを圧縮するのに適用される前記周壁の一端で環状前方末端と、
前記容器部分を取り囲んでいるエラストマワイパ密封体を圧縮するのに適用される一端で平らな縁部を有する前記周壁の反対端での環状後方末端を含むことを特徴とする請求項１に記載のキャップなしの引込可能な密封された筆記具。
【請求項３】
前記密封部分が前記前方末端と接触して環状フランジ部分と、
円形ヘッド部分と、
前記前方末端および前記ヘッド部分を接続する中空の筒状フランジ部分を含み、
前記ヘッド部分が、前記マーカ先端が貫通して突出および引込を可能にするようになされた柔軟に弾力のある再閉止可能な開口を含んでいることを特徴とする請求項１に記載のキャップなしの引込可能な密封された筆記具。
【請求項４】
前記第１密封片が前記室の第１端で前記室と当接関係に維持され、前記第２密封片が前記室の反対端で前記室に当接しており、前記第１密封片が前記マーカハウジングの開放端に近接して前記マーカハウジング内に保持され、前記第１密封片が前記マーカハウジングの長手方向軸線に対して略垂直の平面において前記マーカハウジング内に保持される略環状リムを有することを特徴とする請求項１〜３のいずれか１項に記載のキャップなしの引込可能な密封された筆記具。
【請求項５】
前記マーカ支持機構がマーカ容器受容体と、解放ばねと、引き込まれた位置または突出された位置のいずれかに前記解放ばねを捕捉するための第１、第２の開口と、前記容器と直線に整列されたプランジャを含み、このプランジャが筆記具の長手方向軸線に沿って動き得ることを特徴とする請求項４に記載のキャップなしの引込可能な密封された筆記具。
【請求項６】
前記マーカ支持機構がラチェットと接触して窪みを有するプッシュロッドに接続されるマーカ受容体と、前記プッシュロッドと直線に整列されたプランジャを含んでいることを特徴とする請求項４に記載のキャップなしの引込可能な密封された筆記具。
【請求項７】
前記ハウジングが、前記マーカハウジングの第１端と係合し、かつ、軸方向に整列される先端部分、筆記のために前記マーカニブを露出する完全に突出された位置を達成するように密封体およびさらに前記先端部分の軸方向の開口を通って前記マーカ支持機構によって前進させられるような前記マーカニブ用の軸方向の開口を含むことを特徴とする請求項４に記載のキャップなしの引込可能な密封された筆記具。
【請求項８】
前記室壁がまた第１、第２壁部分を含み、前記壁部分が段部分に取着され、前記第１壁部分が前記第２壁部分より大きい外径を有することを特徴とする請求項４に記載のキャップなしの引込可能な密封された筆記具。
【請求項９】
前記前方末端が前記先端部分と蟻継ぎ形状の継ぎ手を形成するように前記フランジ部分と噛合するようになされた角度付き面部分を有することを特徴とする請求項４に記載のキャップなしの引込可能な密封された筆記具。
【請求項１０】
前記前方室が、また、前記周部側壁に沿って第１外径および第２外径を画成する中間肩部分を含んでいる前記周部側壁を含み、前記周部側壁が軸方向にわずかに内方に傾斜が付けられていることを特徴とする上記の請求項４に記載のキャップなしの引込可能な密封された筆記具。
【請求項１１】
前記前方室部分が前記密封部分が引込時に逆転するのを防止するために、前記周部壁部分から半径方向に内方に突出しかつ前記周部側壁の内部の少なくとも１部分に沿って長手方向に延びる２以上のリブ部分を含むことを特徴とする上記の請求項１０に記載のキャップなしの引込可能な密封された筆記具。
【請求項１２】
前記第２密封片が環状のワイパであることを特徴とする請求項４に記載のキャップなしの引込可能な密封された筆記具。
【請求項１３】
前記マーカ容器が、前記マーカニブが突出された位置にあるとき前記密封体の外側と流体連通している少なくとも１つの通気管を含むことを特徴とする請求項４に記載のキャップなしの引込可能な密封された筆記具。
【請求項１４】
前記第２密封片がガスケットおよびＯ−リングからなっているグループから選択されることを特徴とする請求項４に記載のキャップなしの引込可能な密封された筆記具。
【請求項１５】
前記容器が、前記ニブから反対の端部に気密のプラグを含んでいることを特徴とする請求項４に記載のキャップなしの引込可能な密封された筆記具。
【請求項１６】
前記ハウジングが、親指と人差し指との間の筆記者のグリップを容易にするための先端部分に近接した窪みを備えかつ傾斜された平らな表面上の転動からマーカを禁止するための部分的に非円形の半径方向の形状を有する輪郭が形成されていることを特徴とする請求項４に記載のキャップなしの引込可能な密封された筆記具。
【請求項１７】
前記室部分が、室壁の内周のまわりに略対称的に間隔が置かれた複数の内方垂直リブを有することを特徴とする請求項４に記載のキャップなしの引込可能な密封された筆記具。
【請求項１８】
前記マーカハウジングが、解放されるとき解放ばねによって発生される衝撃を吸収するために前記プランジャと前記マーカ容器との間に配置される第２のばねを含むことを特徴とする請求項５に記載のキャップなしの引込可能な密封された筆記具。
【請求項１９】
前記第２の密封体が前記容器に固定され、前記ニブを、前記開口を通って動かすために前記ヘッド部分に対して圧縮可能であることを特徴とする請求項４に記載のキャップなしの引込可能な密封された筆記具。
【請求項２０】
前記密封側壁が前記ヘッド部分開口を通る前記ニブのより大きな突出のための折り畳み可能な蛇腹形状を有していることを特徴とする請求項１９に記載のキャップなしの引込可能な密封された筆記具。
【請求項２１】
キャップなしの引込可能な筆記具において、筆記具が引込されるときマーカニブを密封して取り囲むための前方室部分であって、この前方室部分が筒状の容器部分の通過に適する中空孔を貫通して画成する略円形の周壁と、密封部分の環状リムを圧縮するのに適用される前記周壁の一端での環状前方末端と、前記容器部分を取り囲んでいるエラストマワイパ密封体を圧縮するのに適用される一端で平らな縁部を有する前記周壁の反対端での環状後方末端を含むことを特徴とする前方室部分。
【請求項２２】
前記密封部分が前記前方末端に接着で取着され、前記密封部分が前記前方末端と接着接触している環状フランジ部分と、円形ヘッド部分と、前記前方末端と前記ヘッド部分を接続する中空の筒状側壁を含み、前記ヘッド部分が前記マーカニブが貫通して突出および引込するようになされた柔軟で弾力のある再閉止可能な開口を含んでいることを特徴とする請求項２１に記載の前方室部分。
【請求項２３】
中空内部と、いずれかの端部での開口と、内方ライニングを有する細長いハウジングと、一端がマーカニブを有しており、前記中空内部で軸方向に配置されたマーカ容器と、筆記のために前記先端を露出するように、前記マーカニブの直線的な突出および引込のための前記中空内部での前記マーカ容器の軸方向運動用のキャリッジ手段と、密封室と第１密封片と第２密封片を有する密封手段と、周壁を有する前記室と、前記容器内に同軸的に位置決めされる前記室と、前記中空孔内に少なくとも部分的に延びている前記マーカ容器と、前記第１密封片が前記室の第１端で前記室と当接し、前記第２密封片が前記室の反対端に隣接して前記室に当接しており、前記第１密封片が前記マーカハウジングの開放端に近接して前記マーカハウジング内に保持され、前記第１密封片が前記マーカハウジングの長手方向軸線に対して略垂直の平面において前記マーカハウジング内に保持される略環状リムを有し、柔軟な円板が前記環状リムによって画成される円形区域にかつその中に取着され、凹状の円板が、突出された位置へのマーカ支持機構によるマーカ容器およびマーカニブの直線運動時に前記第１密封片を通る前記マーカニブの通過を許容するようにスリットから向きをそらすことができかつ前記マーカハウジングへの前記マーカニブの引込時密封された形状において復帰する協働する密封円板フラップを形成するために半径方向中心を通る開口を有する円弧の形の断面および円板の断面を有しており、
前記中空内部のストッパ手段が前記内部ライニングから半径方向に内方に向かって突出しかつ前記室に隣接して前記第２密封片を維持しながら前記マーカ容器が自由に貫通するのに十分な、前記マーカ容器の外径より僅かに大きい開口を有しており、
前記第２密封片が前記容器のまわりにぴったりと嵌合しかつ前記容器が引き込まれた位置にあるとき空気が前記中空孔に侵入するのを阻止するために前記室と前記ストッパ手段との間に絶対的な気密密封を作るように圧縮可能であることを特徴とする密封されたキャップなしの筆記具。
【請求項２４】
前記室壁が、第１および第２壁部分を含み、前記壁部分が段部分に取着され、前記第１壁部分が前記第２壁部分より大きい外径を有することを特徴とする請求項２３に記載のキャップなしの引込可能な密封された筆記具。
【請求項２５】
前記室壁および前記複数のスプラインが、僅かに傾斜が付けられていることを特徴とする請求項２４に記載のキャップなしの引込可能な密封された筆記具。
【請求項２６】
前記室が前記第１密封片に隣接して一端でリム部分と、このリム部分からぶら下がって入るビードを有し、このビードが絶対的な気密接触を設けるために前記第１密封片に押し付けていることを特徴とする請求項２３または２５に記載のキャップなしの引込可能な密封された筆記具。
【請求項２７】
前記ビードが半円形であることを特徴とする請求項２６に記載のキャップなしの引込可能な密封された筆記具。
【請求項２８】
前記第１密封片が、前記スリットと一直線に前記先端部分を方向付けるための少なくとも１つの平らな縁部を含むことを特徴とする請求項２３に記載のキャップなしの引込可能な密封された筆記具。
【請求項２９】
前記第２密封片がＯ−リングであることを特徴とする請求項２３に記載のキャップなしの引込可能な密封された筆記具。
【請求項３０】
前記第２密封片がガスケットであることを特徴とする請求項２３に記載のキャップなしの引込可能な密封された筆記具。
【請求項３１】
前記室が前記第１密封片に隣接して一端でリム部分と、このリム部分からぶら下がって入るビードを有し、このビードが絶対的な気密接触を設けるために前記第１密封片に押し付けていることを特徴とする請求項１０に記載のキャップなしの引込可能な密封された筆記具。
【請求項３２】
前記ビードが半円形であることを特徴とする請求項２６に記載のキャップなしの引込可能な密封された筆記具。
【請求項３３】
前記ビードが半円形、尖った、矩形の、または鋸歯状からなるグループから選択された輪郭を有し、弾力のある密封フランジと接触して圧縮されるとき前記ビードが半径方向のスリップを防止しかつ前記フランジとの密封係合を保証するように前記弾力のあるフランジに少なくとも部分的に衝突することを特徴とする請求項３１に記載のキャップなしの引込可能な密封された筆記具。
【発明の詳細な説明】
【技術分野】
【０００１】
（関連出願）  この出願は、「前方室を備えたキャップなしの引込可能な密封された筆記具」と題された、２００２年２月１３日に提出された、アメリカ合衆国の予備特許出願第６０／３５６，３１４号に関連している。
【背景技術】
【０００２】
本発明は、一般にマーキングおよび筆記具にかつとくに、先端をその中に収容するような密封された気密の室を維持するための手段を有するインク含浸塗布器またはカートリッジを有するマーキングおよび筆記具に関する。
【０００３】
キャップなしのマーカは従来技術において知られている。一般に認められたアメリカ合衆国特許第６，０３３，１４１号はこれによって参考までに組み込まれる。一般に、これらのマーカは使用しないとき衣服またはペーパーに偶発的に接触するのを回避するために使用しないときマーカの先端をハウジング内に隠すための引込および突出カートリッジを設けている。
【０００４】
幾つかのキャップなしのマーカは大気へのインクの蒸発による先端の乾燥を防止するための密封体を含んでいる。かかる１つのマーカは上記で参照された特許、ブラウシュタイン等に発行されたアメリカ合衆国特許第６，０３３，１４１号に開示されている。マーカは前方カウリングに隣接して取り付けられた単一部片の密封体を開示している。単一部片の密封体は筆記のためのインクカートリッジの突出を許容するようなスリットを備えた凹状の膜体を含みかつインクカートリッジの引込時閉止する。
【０００５】
種々の支持機構がマーカハウジング内のカートリッジの直線運動のために使用されることができる。必要によりカートリッジは可動部品を伴うため、支持機構がマーカの筆記先端と反対端で気密閉止体を設けない可能性がある。それゆえ、マーカの支持端からの空気の侵入が先端に隣接する密封体の配置にも拘わらず発生するかもしれない。
【０００６】
かくして従来技術には、安全に維持され、比較的簡単な設計の気密室を設け、別個のキャップの必要を除去し、そして筆記具の前方または後方端からの空気侵入による先端の乾燥を阻止する引込可能なキャップなしのマーカは存在しない。
【発明の開示】
【０００７】
キャップなしのマーカは、マーカがキャップなしで使用されることを可能にするような密封技術を組み込んでいる蛍光ペン型のマーカである。好ましくは、筆記具は、事実上あらゆる型のインクまたは先端形状がこの筆記具では使用され得るけれども、イエローおよびピンクのごとき、多数のカラーにおいて製造され得る著しく明るい蛍光ペンインクを使用する。
【０００８】
開示されるものは、軸方向の開口を有する細長いマーカハウジングを含んでいるキャップなしの引込可能な密封された筆記具である。マーカニブを有するマーカ容器はマーカハウジングのマーカ支持機構内に配置される。マーカ支持機構は、マーカハウジング内で軸方向の開口を通ってマーカニブを突出および引込するように、マーカハウジング内で直線的にマーカ容器およびマーカニブを動かす。
【０００９】
密封手段は密封室、第１密封片および第２密封片を含んでいる。室は中空孔を画成する周壁を有している。室は前記容器内に同軸的に配置される。容器は引き込まれた位置にあるとき室の中空孔内に少なくとも部分的に延びている。
【００１０】
密封室は筒状容器部分の通過に適する中空孔を画成する略円形の周壁を含んでいる。周壁の一端での環状前方末端は第１密封部分の環状リムを圧縮するようになされている。前記周壁の反対端での環状後方末端は容器部分を取り囲んでいるエラストマワイパ密封体を圧縮するようになされた平らな縁部を有している。
【００１１】
密封部分は前方末端と接触している環状フランジ部分、円形のヘッド部分；および前記前方末端と前記ヘッド部分を接続している中空の筒状側壁を含んでいる。ヘッド部分はヘッドを通るマーカニブの突出および引込を許容するようになされた柔軟で弾力のある、再び閉止可能な開口を含んでいる。
【００１２】
かかるマーカの１つの利点は、取り外し可能なキャップが、マーカが乾燥するのを阻止するために必要とされないということである。しばしば、取り外し可能なキャップが脇に置かれそして失われるかまたは使用者によって忘れられそしてマーカ内に残っている多量のインクが、ニブが乾燥しかつ硬くなるとき廃棄される。
【００１３】
それゆえ、本発明の目的は、引き込まれた位置にあるときマーカニブをその中に維持するような気密密封体を設けることにある。
【００１４】
本発明のさらに他の目的は、インクの蒸発および先端の乾燥を阻止するために取り外し可能なキャップの必要性を除去することにある。
【００１５】
本発明のさらに他の目的は、固定位置において、マーカニブを貯蔵するための密封された室を維持しかつ室との第２の密封体の積極的な係合を保証することにある。
【発明を実施するための最良の形態】
【００１６】
ここで、上記で識別された図を使用して、種々の好適な実施の形態に関連して本発明を説明する。
【００１７】
本発明は、器具の前方または筆記端で小さい気密室内にニブを取り込むことにより筆記具のニブ部分を密封するための手段を開示する。再び閉止可能な密封体が、マーカニブが筆記のために密封体を通って突出されるとき離れ、かつニブが再び引込されるとき気密バリヤを維持するために再び閉じる１または複数の弾力のあるスリットにより、室に対して圧縮される。ハウジングに対して圧縮して維持されるＯ−リングはインク容器の壁に対して摩擦嵌合によって先端密封を形成する。インク容器の後方での第２の密封は、先端の反対端から、早期の乾燥を生じることができる空気へのインクの露出を阻止するように維持される。
【００１８】
この手段により、小さな気密ポケットが引き込まれた位置にあるときマーカニブのまわりに形成され、それによってニブを通るインクの蒸発を除去する。第２に、容器の後方部分は、また、容器中の内部繊維からのインクの蒸発を防止するように大気から密封される。これら２つの密封手段によって、マーカは、通常の引込手段によってマーカの軸線に沿って長手方向に動き、かつ引込されているとき密封を維持し、かくして使用しているときのみ空気に対してマーカニブを露出する。
【００１９】
（筆記具ハウジング）
まず図１を参照して、密封されたキャップなしの筆記具は符号１０で総括的に示されている。先端部分１２は器具１０の前方端でハウジング部分１４に取着される。ハウジング部分１４は第１ハウジング部分１６および第２ハウジング部分１８から構成される。容器プランジャ２０はハウジング１４内から第２ハウジング部分１８から突出する。
【００２０】
次に図２および図３を参照して、解放ボタン２２はニブ部分４８を隠すように容器構体５４を引込するために設けられる。容器構体５４は、単一のハウジング部分１４を形成するように接合する、ハウジング部分１６，１８内に収容される。筆記のために使用される筆記具の前方端において、先端部分は溶解ボンドまたはスナップ接続３６を介して第１ハウジング部分１６に取着される。スナップ接続５６，３６はともに強制されるとき互いに噛み合う複数の補完隆起部から構成される。ネジおよびバヨネット型嵌合のごとき他の接続手段が、また有効である。先端部分１２はスナップコネクタ３６を介して第１ハウジング部分１６に係合しかつ一端で、シリコンゴムのごとき、エラストマ材料から作られるワイパ密封体３４および前方端で密封部分３２に対して室部分３０の位置を維持する。ワイパ密封体３４は、室部分３０の外径に合致した略Ｌ−形状の断面形状を有している。また、ワイパ密封体３４はＯ−リングまたはガスケットによって置き換えられることができる。室部分３０はマーカ１０が引き込まれた位置にあるときニブ部分４８がその中に収容される気密キャビティを維持する。室部分３０内に収容される制限された空間は引き込まれた位置にあるときニブ部分４８が乾燥することを阻止し、それによってキャップなしマーカ１０の貯蔵寿命を延ばす。
【００２１】
次に図４および図５を参照して、マーカ１０の前方部分が拡大断面図として示されている。先端部分１２はスナップ接続３６によって第１ハウジング部分１６に取着する。先端部分１２は肩部７２に隣接して載置する凹状の密封部分３２を保護しかつ隠す。室部分３０は先端部分１２が第１ハウジング部分１６と係合されるとき先端部分１２によって第１ハウジング部分１６の前方端内に維持される。室部分３０はワイパ密封体３４に当接する。ワイパ密封体３４はハウジングライニング壁４２から半径方向内方に向かって突出している環状リム部分５８に対して載置する。リム部分５８は室部分３０の軸方向の移動を防止するための停止限界を設けている。圧縮ばね２６はマーカハウジング部分１４の中空内部内でワイパ密封体３４の反対側上に環状リム部分５８に対して載置する。圧縮ばね２６はマーカ１０が突出された位置にあるとき圧縮されかつ解放ボタン２２が押し下げられるとき開放されるエネルギを蓄え、引き込まれた位置に戻るように容器構体５４を強制する。
【００２２】
図２および図４に示されるように、引き込まれた位置にあるとき、ニブ部分４８は気密密封室にニブ部分４８を取り込むように室部分３０の中空内部内に配置される。密封は密封部分３２のスリット２８の閉止によって達成される。スリット２８は容器構体５４が筆記のためにマーカを露出するように突出されるときニブ部分４８の貫通を可能にする。密封部分３２が引き込まれた位置において閉止されるとき、室の前方端は密封体３２のリム部分によって密封される。密封部分３２はさらに以下で詳細に説明される。室の反対端は環状リム部分５８に対して圧縮されかつ先端部分１２と反対の筆記具の端部からのいかなる空気の侵入も阻止するように毛管容器ハウジング５０の外径のまわりに同様にぴったり嵌合するワイパ３４によって密封される。
【００２３】
先端部分１２に近接して配置される第１ハウジング部分１６に形成される凹み１７を備えた、輪郭が付けられた形状がマーカハウジングにおいて好適である。これは筆記を容易にするために使用者が器具を把持するのを助ける。ハウジング部分１４は、底部分１６において円形断面に遷移する、第２ハウジング部分１８に略長方形の断面を有している。非円形のジオメトリは横たえられたとき机のごとき平らな表面上で筆記具が転動しないようにするのを助ける。ハウジング部分１４の円形の末端はハウジング部分１４への実質上円錐の先端部分１２の接続を容易にする。
【００２４】
（密封室）
図６および図７を参照すると、室部分は符号３０で総括的に示される。開口１００は容器構体５４が通って延びる頂部リム部分１０８を貫通する。外壁１０２，１０４は筒状壁のタンデム対を形成するような方法で段が付けられ、第１の壁１０２は開口１００に最も近い壁部分である。第１の壁１０２は第２の壁１０４より小さい直径からなる。壁は略筒状である一方、加工片が僅かに傾斜された外壁を含むときより容易に達成される射出成形方法を容易にするために一端から反対端へ僅かなテーパを含むのが望ましい。第２の壁１０４は開口１００の反対端でフランジ１０６に取着する。
【００２５】
室部分３０は外観において両端で開放された嵌め輪と同じであり、かつワイパ密封体３４に係合しかつ環状リム部分５８にそれを強制する平らなリム部分１０８を含んでいる。リム部分５８およびワイパ密封体３４は室部分３０の一端で容器構体５４のまわりに気密密封を形成する。反対端で、フランジ１０６は密封部分３２に係合しかつ気密嵌合をもたらす。
【００２６】
図４および図７は、密封体３２が位置を変えるのを阻止するために密封体３２のフランジ部分を捕捉する、フランジ１０６と先端部分１２の交差点に形成された蟻継ぎ凹所７２を示している。フランジ１０４の底側の角度が付いた表面１１０は環状フランジ部分１０４のしなやかな材料を押し下げる。
【００２７】
図１７および図１８は、室壁の内周のまわりに略対称的に間隔が置かれる複数の内方垂直リブを有している、室部分１３０の他の形状を示している。
【００２８】
（密封）
図８ないし図１０を参照すると、密封部分３２は好適な配置において示されている。種々の形状が密封部分３２を構成するのに使用されることができる。かかる１つの装置は、ここで参考のために明示的に組み込まれる、アメリカ合衆国特許第５，４３９，１４３号に示されかつ説明されている。「包装用の分配弁」と題された、この装置は、ミシガン州、ミッドランドのリキッド・モールディング・システム社によって製造される。本発明において弁として使用されないが、本発明は前方室３０内でマーカニブ４８を密封するためにかかる弁の再び閉止可能な特性を使用する。明瞭にするために、装置はこの発明の目的のための密封体として言及される。密封構造の全体の詳細を記載することなく、関連の部分が議論される。密封体３０は中央部分１０６を貫通する２つの交差直線スリット１１８および１２０を含む十字スリット構造を有する開口１１６を含んでいる。スリット１１８，１２０は好ましくは密封部分３２の中央部分１０６を通って切り進むことによって形成される。
【００２９】
図示された密封部分１００は、シリコンゴムのごとき弾力的に柔軟でかつしなやかな材料から好ましくは作られる、一体的な単一部片構造を含んでいる。プロピレングリコールまたは非毒性のゲルからなる薄いバリヤが密封特性を高めかつ引込機構の繰り返しの作動による密封体１００上の磨耗を減少するように開口１１６およびマーカニブ４８を潤滑するように塗布されることができる。
【００３０】
フランジ部分１０４は先端部分１２の前方室３０と肩部７２との間で圧縮される。フランジ部分１０４は柔軟なトラフ１１０を介して長手方向側壁１０２に接続される。密封部分１００の長手方向側壁１０２はマーカニブ４８用の中空筒状案内路を形成して外方に向かって延びる。側壁１０２はヘッド１０８に終端する。ヘッド１０８は側壁１０２から略平らな中央部分１０６へ傾斜している弓形形状の縁部分を有している。開口１１６は中央部分１０６を完全に貫通する１対の垂直に交差する直線スリット１１８，１２０を有し、そしてそれらの末端は中央部分１０６の半径方向縁部から僅かに内方に傾斜される。スリット１１８，１２０はニブ４８の走行方向に対応して外方にかつ後ろに曲がる４つのフラップ１２２を画成する。
【００３１】
フラップはニブ４８が突出された位置にあるとき外方に転動し、ニブ４８の軸のまわりに僅かな圧力を維持している。ニブ４８が引込されるとき、フラップ１２２は過剰のインクを静かに拭き取りかつ閉止される、密封された位置に戻る。
【００３２】
理解され得ることは、開口１１６は所望のマーカ特性にしたがって多数の異なる形状、大きさおよび／または構成を採ることができるということである。例えば、開口１１６は、とくにより小さいまたはより狭い流れが所望されるとき、単一のスリットを含むことができる。開口１１６は、また、例えば、六角形の管のごとき、幾何学的断面容器が所望されるときのように、３つまたはそれ以上のスリットを含むことができる。孔、偏平（ダックビル）のごとき、他の形状の開口１１６が密封特性を高めるために十字スリットに代えて密封体３２に組み込まれることができる。
【００３３】
（支持（キャリッジ）機構）
容器プランジャ２０は、ともに押圧されるとき互いと重なり合う、多数のリング状のスナップ接続および容器接続４０上の補完の隆起部によって取着される。開示された実施の形態において、容器プランジャ２０は断面において楕円であり、かつ容器接続４０は容器プランジャ２０と結合する側に対応する楕円断面を有している。
【００３４】
図２に示されるように、反動ばね８０が容器プランジャ２０内に任意に配置されることができる。反動ばね８０の目的は解放ボタン２２が押し下げられかつばね２６がニブ４８を引込するとき反動衝撃から容器を守ることである。クッションは容器５０内でインク繊維（図示せず）が変形することを阻止または制限するために望ましい。
【００３５】
プラグ８２は大気から内部繊維５４を密封するために毛管容器５０の端部にぴったり嵌合する。プラグ８２上の棚８４は容器プランジャ２０内に反動ばね８０の一端を固定するための円形のベースを設ける。ハブ８６は反動ばね８０を位置決めするようにプラグ８２から延びる。
【００３６】
図２および図３を参照すると、毛管容器ハウジング５０は、ニブ部分４８が凹状の密封部分３２を通ってかつ開口１５を通ってハウジング部分１４を超えて延びるように長手方向軸線に沿って摺動可能である。解放ばね３８は容器接続４０上の１対の突起６４を介して毛管容器ハウジング５０に取着される。突起６４は引き込まれた位置にあるとき解放ボタン２２およびスロット６２に対して固定された位置において解放ばね３８に係合する。容器プランジャ２０を押圧することにより、毛管容器ハウジング５０は解放ばね３８が解放ボタン２２に係合するまで長手方向軸線に沿って前進する。外部圧力が、例えば、人の親指によって、解放ボタン２２に印加されるとき、容器構体５４は圧縮ばね２６に蓄えられたエネルギを解放することによって引き込まれた位置に戻る。解放ばね３８は第１のスロット６２に係合するまで強制的に戻される。
【００３７】
理解され得ることは、本発明において使用される開示された支持機構は従来技術において知られた多数の掛かる機構の１つを示している。例えば、回転カムフォロワ、またはラチェット機構がここに開示された解放ばね／押しボタン装置と置換されることができる。
【００３８】
（容器構体）
図２ないし図３を参照すると、容器構体が示される。図２は毛管容器構体５４の一端に隣接するニブ部分４８を示している。ニブ部分４８は毛管容器構体５４の内壁とニブ部分４８の筒状軸４７との間の摩擦嵌合により部分的に毛管容器構体５４に隣接して維持される。ニブ部分４８はインクがその中に注入される毛管容器構体５４に後方に向かって延びる。毛管容器構体５４は毛管容器ハウジング５０に収容される。毛管容器ハウジング５０は１対の管状部分７４，７６から構成される。この第１の管状部分から延びている前方のニブ部分４８を収容する第１の管状部分７４はより小径である。第１の管状部分７４は容器プランジャ２０の中空内方キャビティに後方に向かって延びる、より大径の第２の管状部分７６と接合される。棚７５は管状部分７４，７６間の接続部に画成される。棚７５は圧縮ばね２６の一端を固定するための円形ベースを設ける。第２の管状部分７６はより大径のフィラメントまたは毛管容器構体５４を収容することができる。ニブ部分４８および毛管容器構体５４は開示された実施の形態においてポリエステル繊維から構成されかつ蛍光インク等のごとき筆記流体で充満される。
【００３９】
種々のインクが容器構体５４内で使用されることができるが、開示された実施の形態において使用されるインクの特性はＡＳＴＭ４２３６標準と一致する臭いの無い、速乾性、耐水、耐褪性および非毒性の流体を含んでいる。ニブ部分４８は蛍光目的のためにたがね形状にされるかまたは筆記目的のためにより尖らせられることができる。
【００４０】
密封体３２は、追加の保護を設けるように最初の使用において孔が明けられる、密封部分３２を被覆する薄いプラスチック膜を組み込みそして最初の使用前の貯蔵寿命期間の間中その中に蓄えられたインクを留保することができる。
【００４１】
（代替の密封構成）
図１２ないし図１４に示される、凹状の密封体２３２は、マーカ先端部分１２内に保持される。密封体２３２は開口１５の直径に少なくとも等しいかまたはそれより大きい内径（ＩＤ）を有する略環状のリム２０１を含んでいる。
【００４２】
環状のリム２０１は平らな縁部２１０を含んでいる。平らな縁部２１０はニブたがね点４９の縁部と一致するようにスリット２８の方向を方向付けるようにアラインメント手段を設ける。平らな縁部２１０は、先端部分１２がハウジング１４とともにスナップされた後、室部分３０および先端部分１２に対する、密封体２３２の回転運動を阻止する。平らな縁部２１０型リム２０１を使用するとき、室部分３０は傾斜されるよりもむしろ平らな、フランジ底部分１１０を有することができる。半円形または尖頭ビード（図示せず）は室部分３０とのより良好な係合のためにリム２０１に衝突するフランジ底部分１１０から任意に垂れ下がる。
【００４３】
密封体２３２は、さらに、環状リム２０１によって画成された円形内方区域にかつその中に取着された柔軟な凹状の円板２０２を含んでいる。図１３に最良に示されるように、凹状の円板２０２は円弧Ａの形の断面を有し、円弧の頂点２０３はマーカニブ４８がマーカハウジング１４内で完全に引き込まれた位置にあるときマーカニブ４８に向かい合うように方向付けられる。凹状の円板２０２は、突出された位置へのマーカ支持機構によるマーカカートリッジおよびマーカニブの直線的な前進時に、マーカニブがスリットを通過できるように変形可能である２つの協働する密封円板半体２０５および２０６を形成する円板の半径方向中心を通る全直径、全幅スリット２０４を有している。
【００４４】
円板半体２０５および２０６の凹所はマーカハウジングの内部に非常に有効な大気密封を形成するようにともに緊密に噛み合い縁部２０７および２０８を偏倚し、それによってマーカニブおよびマーカカートリッジ内のインク水分を保持する。マーカケーシングの内部にかつマーカ先端に向かって方向付けられる頂点２０３により円板半体の凹所はマーカカートリッジおよびニブ内に水分を保持するのに十分な密封を形成するのにとくに有効である。図５に示されるように、マーカニブは密封体２３２および開口１５を通って直線的に突出され、それによってスリットのまわりに広がるように円板半体２０５および２０６を偏向する。この位置において、円板半体はマーカカートリッジの周部のまわりに緊密に巻かれ、それによって大気からハウジング内に残る、マーカ容器の部分を有効に密封する一方、マーカニブは露出される。引込時、円板半体はそれらがカートリッジの直線運動によって密封された凹状位置に戻されるときマーカニブを有効に綺麗に拭き取る。円板半体の凹状の構成は、半体を離して押圧するような先端に必要とされる力の量が凸状の、外方に向けられた密封体に必要とされるよりも大きいので緊密な密封を確立するのにとくに有効である。また、引込時、マーカニブは円板半体を凹状位置に機械的に引き戻し、密封を再び確立ために噛み合い表面をともに強制する。
【００４５】
密封体３２は、好ましくは、ＧＥ．ＲＴＭ．シリコンＳＥ６２６０、高性能成形可能なかつ着色可能なシリコン化合物のごとき適宜なシリコン材料から記載された形状に形成されまたは成形される。
【００４６】
図１４ないし図１６を参照すると、また、リム上に密封部分を接着で取着することによってまたは前方室上密封体を一体に成形することによって、前方室に取着される柔軟な密封部分を含むことは本発明および添付の請求の範囲の範囲内である（図１４）。追加の形状が図１４ないし図１６に示され、そして容器カートリッジの一端に取着される走行する密封された室（図１５）およびジャバラ型の突出可能な密封体（図１６）を含んでいる。
【００４７】
通気管（図示せず）が蒸気ロックを阻止しかつニブ４８へのインクの流れを容易にするように容器内の圧力を等しくするために毛管容器構体５４内に長手方向に置かれることができる。
【００４８】
本発明は本発明の実施の形態に関連して上述されたけれども、本発明は上述された実施の形態に限定されない。上述された実施の形態の変更および変形は、本発明の精神から逸脱することなしに、上記の教示に鑑みて、当該技術に熟練した者に思い浮かぶであろう。それゆえ、本発明はこれに添付された請求の範囲の範囲によって示されるようにのみ制限される。
【図面の簡単な説明】
【００４９】
【図１】密封されたキャップなしの筆記具の正面図である。
【図２】図１の線３−３に沿って取られた断面図である。
【図３】内部部品の配置を示す分解斜視図である。
【図４】先端構体部分の拡大断面図である。
【図５】ニブが突出された位置にあるときの先端部分の断面図である。
【図６】密封室の斜視図である。
【図７】密封室の正面断面図である。
【図８】密封片の平面図である。
【図９】図８の線９−９に沿って取られた断面図である。
【図１０】密封片の斜視図である。
【図１１】代替の凹状密封片の平面図である。
【図１２】図１１の線１２−１２に沿って取られた代替の凹状密封片の断面図である。
【図１３】密封片の斜視図である。
【図１４】代替の室形状の断面概略図である。
【図１５】代替の室形状の断面概略図である。
【図１６】代替の室形状の断面概略図である。
【図１７】内方リブ付きの代替の密封室の斜視図である。
【図１８】内方リブ付きの代替の密封室の断面図である。
【図１】
2005516830.tif 000003
【図２】
2005516830.tif 000004
【図３】
2005516830.tif 000005
【図４】
2005516830.tif 000006
【図５】
2005516830.tif 000007
【図６】
2005516830.tif 000008
【図７】
2005516830.tif 000009
【図８】
2005516830.tif 000010
【図９】
2005516830.tif 000011
【図１０】
2005516830.tif 000012
【図１１】
2005516830.tif 000013
【図１２】
2005516830.tif 000014
【図１３】
2005516830.tif 000015
【図１４】
2005516830.tif 000016
【図１５】
2005516830.tif 000017
【図１６】
2005516830.tif 000018
【図１７】
2005516830.tif 000019
【図１８】
2005516830.tif 000020
【国際調査報告】
2005516830.tif 000021